(57)【要約】  本発明に係るパケット通信方法は、移動局が、無線基地局に対して、ランダムアクセスチャネルを介してランダムアクセス要求を送信する工程と、無線基地局が、上り共有チャネルに割り当てられている無線リソースの中から、移動局がパケットアクセス要求を送信するためのパケットアクセス要求送信用無線リソースを割り当てる工程と、無線基地局が、移動局に対して、ランダムアクセスチャネルに対応する下り共有制御チャネル又は下り共有データチャネルの少なくとも一方を介してランダムアクセス要求を受信した旨を通知するためのランダムアクセス応答を送信する工程と、移動局が、ランダムアクセス応答によって通知された上り共有チャネルを介して、パケット通信の開始を要求するためのパケットアクセス要求を送信する工程とを有する。
2007052752.tif 000002
【特許請求の範囲】
【請求項１】
移動局が、無線基地局に対して、ランダムアクセスチャネルを介して、ランダムアクセス要求を送信する工程と、
前記無線基地局が、前記ランダムアクセス要求の受信に応じて、上り共有チャネルに割り当てられている無線リソースの中から、前記移動局がパケット通信の開始を要求するためのパケットアクセス要求を送信するためのパケットアクセス要求送信用無線リソースを割り当てる工程と、
前記無線基地局が、前記移動局に対して、前記ランダムアクセスチャネルに対応する下り共有制御チャネル又は下り共有データチャネルの少なくとも一方を介して、前記ランダムアクセス要求を受信した旨及び割り当てられた前記パケットアクセス要求送信用無線リソースを通知するための応答を送信する工程と、
前記移動局が、前記応答によって通知された前記パケットアクセス要求送信用無線リソースを用いて、前記パケットアクセス要求を送信する工程とを有することを特徴とするパケット通信方法。
【請求項２】
前記無線基地局は、前記移動局に対して、報知チャネルによって、前記ランダムアクセスチャネル又は該ランダムアクセスチャネルに対応する下り共有制御チャネルの少なくとも一方を通知することを特徴とする請求項１に記載のパケット通信方法。
【請求項３】
前記無線基地局は、セル毎に、サービスクラス毎に、目的毎、又は、受信レベル毎に、通知する前記ランダムアクセスチャネル又は該ランダムアクセスチャネルに対応する下り共有制御チャネルの少なくとも一方を変更することを特徴とする請求項２に記載のパケット通信方法。
【請求項４】
前記移動局は、セル毎に、サービスクラス毎に、目的毎、又は、受信レベル毎に、前記ランダムアクセスチャネルを介して送信するランダムアクセス要求を構成するパターンを変更することを特徴とする請求項１乃至３のいずれか一項に記載のパケット通信方法。
【請求項５】
無線基地局に対して、ランダムアクセスチャネルを介して、ランダムアクセス要求を送信するように構成されているランダムアクセス要求送信部と、
前記無線基地局から、前記ランダムアクセスチャネルに対応する下り共有制御チャネル又は下り共有データチャネルの少なくとも一方を介して、前記ランダムアクセス要求を受信した旨及びパケット通信の開始を要求するためのパケットアクセス要求を送信するためのパケットアクセス要求送信用無線リソースを通知するための応答を受信するように構成されている応答受信部と、
前記応答受信部によって受信された前記応答によって通知された前記パケットアクセス要求送信用無線リソースを用いて、前記パケットアクセス要求を送信するように構成されているパケットアクセス要求送信部とを具備することを特徴とする移動局。
【請求項６】
前記ランダムアクセスチャネル又は該ランダムアクセスチャネルに対応する下り共有制御チャネルの少なくとも一方は、前記無線基地局によって送信された報知チャネルを介して通知されるように構成されていることを特徴とする請求項５に記載の移動局。
【請求項７】
前記ランダムアクセス要求送信部は、セル毎に、サービスクラス毎に、目的毎、又は、受信レベルに、前記ランダムアクセスチャネルを介して送信するランダムアクセス要求を構成するパターンを変更するように構成されていることを特徴とする請求項５又は６に記載の移動局。
【請求項８】
移動局から、ランダムアクセスチャネルを介して、ランダムアクセス要求を受信するように構成されているランダムアクセス要求受信部と、
前記ランダムアクセス要求の受信に応じて、上り共有チャネルに割り当てられている無線リソースの中から、前記移動局がパケット通信の開始を要求するためのパケットアクセス要求を送信するためのパケットアクセス要求送信用無線リソースを割り当てる割当部と、
前記移動局に対して、前記ランダムアクセスチャネルに対応する下り共有制御チャネル又は下り共有データチャネルの少なくとも一方を介して、前記ランダムアクセス要求を受信した旨及び前記パケットアクセス要求送信用無線リソースを通知するための応答を送信するように構成されている応答送信部とを具備するように構成されていることを特徴とする無線基地局。
【請求項９】
前記移動局に対して、報知チャネルによって、前記ランダムアクセスチャネル又は該ランダムアクセスチャネルに対応する下り共有制御チャネルの少なくとも一方を通知するように構成されている通知部を具備することを特徴とする請求項８に記載の無線基地局。
【請求項１０】
前記通知部は、セル毎に、サービスクラス毎に、目的毎、又は、受信レベルに、通知する前記ランダムアクセスチャネル又は該ランダムアクセスチャネルに対応する下り共有制御チャネルの少なくとも一方を変更するように構成されていることを特徴とする請求項９に記載の無線基地局。
【発明の詳細な説明】
【技術分野】
【０００１】
本発明は、パケット通信方法、移動局及び無線基地局に関する。
【背景技術】
【０００２】
従来、Ｗ-ＣＤＭＡ移動通信システムでは、ランダムアクセス制御が行われている。かかるランダムアクセス制御について、図１０及び図１１を参照して説明する。【０００３】
図１０に示すように、ステップＳ１０において、移動局ＵＥは、ＰＲＡＣＨ（Ｐｈｙｓｉｃａｌ  Ｒａｎｄｏｍ  Ａｃｃｅｓｓ  Ｃｈａｎｎｅｌ）において利用可能なアクセススロットＡＳａを選択し、無線基地局ＮｏｄｅＢに対して、プリアンブル初期電力でアクセススロットＡＳａにおいてプリアンブル＃１を送信する。【０００４】
図１１に、当該ＰＲＡＣＨを介して送信されるプリアンブルの一例を示す。図１１の例では、かかるプリアンブルは、１６ビットのアダマール系列によって形成されている。【０００５】
その後、移動局ＵＥは、プリアンブル＃１の送信から所定期間τｐ-ｐが経過しても、当該ＰＲＡＣＨに対応するＡＩＣＨ（Ａｃｑｕｉｓｉｔｉｏｎ  Ｉｎｄｉｃａｔｏｒ  Ｃｈａｎｎｅｌ）を介して、無線基地局ＮｏｄｅＢからプリアンブル＃１の送達確認（ＡＩ：Ａｃｑｕｉｓｉｔｉｏｎ  Ｉｎｄｉｃａｔｏｒ）を受信しないため、ステップＳ１１において、無線基地局ＮｏｄｅＢに対して、プリアンブル初期電力よりも所定値だけ大きなプリアンブル電力でアクセススロットＡＳｂにおいてプリアンブル＃２を送信する。【０００６】
ステップＳ１２において、無線基地局ＮｏｄｅＢは、当該ＰＲＡＣＨを介してプリアンブル＃２を相関検出により検出したため、移動局ＵＥに対して、当該ＰＲＡＣＨに対応するＡＩＣＨを介して、アクセススロットＡＳｃにおいて当該プリアンブル＃２の送達確認を送信する。【０００７】
ステップＳ１３において、移動局ＵＥは、プリアンブル＃２の送信から所定期間τｐ-ｍが経過する前に、当該ＰＲＡＣＨに対応するＡＩＣＨを介して、無線基地局ＮｏｄｅＢからプリアンブル＃２の送達確認を受信したため、当該ＰＲＡＣＨ（又は、当該ＰＲＡＣＨに対応するＰＲＡＣＨ）を介して、プリアンブル＃２の送信から所定期間τｐ-ｍが経過したアクセススロットＡＳｄにおいて、上述のプリアンブル電力に対応する送信電力でメッセージパート（１０ｍｓ又は２０ｍｓ）を送信する。【０００８】
しかしながら、従来のＷ-ＣＤＭＡ移動通信システムにおけるランダムアクセス制御では、メッセージパート（後述するパケットアクセス要求等）は、送達確認を受信したプリアンブルを送信したＰＲＡＣＨ（又は、当該ＰＲＡＣＨに対応するＰＲＡＣＨ）、すなわち、低速な共通チャネルによって送信されるように構成されているため、当該メッセージパートの伝送速度が遅いという問題点があった。
【非特許文献１】３ＧＰＰ  ＴＳ２５.２１１
【非特許文献２】３ＧＰＰ  ＴＳ２５.２１３
【発明の開示】
【０００９】
そこで、本発明は、上述の課題に鑑みてなされたものであり、ランダムアクセス制御において、メッセージパート（パケットアクセス要求）の伝送速度の高速化を図ると共に、パケット通信を開始するまでの時間を短縮することができるパケット通信方法、移動局及び無線基地局を提供することを目的とする。
【００１０】
本発明の第１の特徴は、パケット通信方法であって、移動局が、無線基地局に対して、ランダムアクセスチャネルを介して、ランダムアクセス要求を送信する工程と、前記無線基地局が、前記ランダムアクセス要求の受信に応じて、上り共有チャネルに割り当てられている無線リソースの中から、前記移動局がパケット通信の開始を要求するためのパケットアクセス要求を送信するためのパケットアクセス要求送信用無線リソースを割り当てる工程と、前記無線基地局が、前記移動局に対して、前記ランダムアクセスチャネルに対応する下り共有制御チャネル又は下り共有データチャネルの少なくとも一方を介して、前記ランダムアクセス要求を受信した旨及び割り当てられた前記パケットアクセス要求送信用無線リソースを通知するための応答を送信する工程と、前記移動局が、前記応答によって通知された前記パケットアクセス要求送信用無線リソースを用いて、前記パケットアクセス要求を送信する工程とを有することを要旨とする。
【００１１】
本発明の第１の特徴において、前記無線基地局は、前記移動局に対して、報知チャネルによって、前記ランダムアクセスチャネル又は該ランダムアクセスチャネルに対応する下り共有制御チャネルの少なくとも一方を通知してもよい。
【００１２】
本発明の第１の特徴において、前記無線基地局は、セル毎に、サービスクラス毎に、目的毎に、又は受信レベル毎に、通知する前記ランダムアクセスチャネル又は該ランダムアクセスチャネルに対応する下り共有制御チャネルの少なくとも一方を変更してもよい。
【００１３】
本発明の第１の特徴において、前記移動局は、セル毎に、サービスクラス毎に、目的毎、又は受信レベルに、前記ランダムアクセスチャネルを介して送信するランダムアクセス要求を構成するパターンを変更してもよい。
【００１４】
本発明の第２の特徴は、移動局であって、無線基地局に対して、ランダムアクセスチャネルを介して、ランダムアクセス要求を送信するように構成されているランダムアクセス要求送信部と、前記無線基地局から、前記ランダムアクセスチャネルに対応する下り共有制御チャネル又は下り共有データチャネルの少なくとも一方を介して、前記ランダムアクセス要求を受信した旨及びパケット通信の開始を要求するためのパケットアクセス要求を送信するためのパケットアクセス要求送信用無線リソースを通知するための応答を受信するように構成されている応答受信部と、前記応答受信部によって受信された前記応答によって通知された前記パケットアクセス要求送信用無線リソースを用いて、前記パケットアクセス要求を送信するように構成されているパケットアクセス要求送信部とを具備することを要旨とする。
【００１５】
本発明の第２の特徴において、前記ランダムアクセスチャネル又は該ランダムアクセスチャネルに対応する下り共有制御チャネルの少なくとも一方は、前記無線基地局によって送信された報知チャネルを介して通知されるように構成されていてもよい。
【００１６】
本発明の第２の特徴において、前記ランダムアクセス要求送信部は、セル毎に、サービスクラス毎に、目的毎、又は、受信レベル毎に、前記ランダムアクセスチャネルを介して送信するランダムアクセス要求を構成するパターンを変更するように構成されていてもよい。
【００１７】
本発明の第３の特徴は、無線基地局であって、移動局から、ランダムアクセスチャネルを介して、ランダムアクセス要求を受信するように構成されているランダムアクセス要求受信部と、前記ランダムアクセス要求の受信に応じて、上り共有チャネルに割り当てられている無線リソースの中から、前記移動局がパケット通信の開始を要求するためのパケットアクセス要求を送信するためのパケットアクセス要求送信用無線リソースを割り当てる割当部と、前記移動局に対して、前記ランダムアクセスチャネルに対応する下り共有制御チャネル又は下り共有データチャネルの少なくとも一方を介して、前記ランダムアクセス要求を受信した旨及び前記パケットアクセス要求送信用無線リソースを通知するための応答を送信するように構成されている応答送信部とを具備することを要旨とする。
【００１８】
本発明の第３の特徴において、前記移動局に対して、報知チャネルによって、前記ランダムアクセスチャネル又は該ランダムアクセスチャネルに対応する下り共有制御チャネルの少なくとも一方を通知するように構成されている通知部を具備してもよい。
【００１９】
本発明の第３の特徴において、前記通知部は、セル毎に、サービスクラス毎に、目的毎、又は、受信レベル毎に、通知する前記ランダムアクセスチャネル又は該ランダムアクセスチャネルに対応する下り共有制御チャネルの少なくとも一方を変更するように構成されていてもよい。
【図面の簡単な説明】
【００２０】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る無線基地局の機能ブロック図である。
【図４】図４は、本発明の第１の実施形態に係る移動通信システムにおける上り無線リンクのリソースの割当例を示す図である。
【図５】図５は、本発明の第１の実施形態に係る移動通信システムにおける上り無線リンクのリソースの割当例を示す図である。
【図６】図６は、本発明の第１の実施形態に係る移動通信システムにおける上り無線リンクのリソースの割当例を示す図である。
【図７】図７は、本発明の第１の実施形態に係る移動通信システムにおける下り無線リンクのリソースの割当例を示す図である。
【図８】図８は、本発明の第１の実施形態に係る移動通信システムの第１の動作を示すシーケンス図である。
【図９】図９は、本発明の第１の実施形態に係る移動通信システムの第２の動作を示すシーケンス図である。
【図１０】図１０は、従来技術に係る移動通信システムの動作を示すシーケンス図である。
【図１１】図１１は、従来技術に係る移動通信システムにおいて用いられるＰＲＡＣＨのフォーマットの一例を示す図である。
【発明を実施するための最良の形態】
【００２１】
（本発明の第１の実施形態に係る移動通信システム）
図１乃至図３を参照して、本発明の第１の実施形態に係る移動通信システムの構成について説明する。【００２２】
本実施形態に係る移動通信システムは、図１に示すように、複数の無線基地局ｅＮｏｄｅＢ＃１及びｅＮｏｄｅＢ＃２と、複数の無線基地局ｅＮｏｄｅＢ＃１及びｅＮｏｄｅＢ＃２を制御するセントラルノード（例えば、アクセスルータや無線回線制御局ＲＮＣ等）とを具備する。【００２３】
本実施形態に係る移動通信システムにおいて、各移動局ＵＥは、ランダムアクセス制御によって、在圏セルを管理する無線基地局ｅＮｏｄｅＢ及びセントラルノードを介してパケット通信を開始するように構成されている。【００２４】
図２に示すように、移動局ＵＥは、ＲＡＣＨ情報取得部１１と、ＲＡＣＨ情報記憶部１２と、ランダムアクセス要求送信部１３と、ランダムアクセス応答受信部１４と、割当要求送信部１５と、割当応答受信部１６と、パケットアクセス要求送信部１７と、パケットアクセス応答受信部１８と、通信部１９とを具備している。【００２５】
ＲＡＣＨ情報取得部１１は、在圏セルによって送信された報知チャネル又は当該移動局ＵＥに割り当てられた下り共有チャネルを介して通知されるＲＡＣＨ情報を取得して、ＲＡＣＨ情報記憶部１２に格納するように構成されている。【００２６】
報知チャネルとしては、例えば、３ＧＰＰで規定されているＢＣＨ（Ｂｒｏａｄｃａｓｔ  Ｃｈａｎｎｅｌ）等が想定される。【００２７】
下り共有チャネルとしては、下り共有制御チャネルまたは下り共有データチャネルなどが想定される。【００２８】
また、ＲＡＣＨ情報取得部１１は、ＲＡＣＨ情報として、ランダムアクセスチャネルを識別する情報等を取得するように構成されている。【００２９】
また、ＲＡＣＨ情報取得部１１は、ＲＡＣＨ情報として、当該ランダムアクセスチャネルに対応する下り共有制御チャネル又は下り共有データチャネルを識別する情報を取得するように構成されていてもよい。【００３０】
ここで、上り共通チャネルであるランダムアクセスチャネルとしては、３ＧＰＰで規定されているＲＡＣＨ（Ｒａｎｄｏｍ  Ａｃｃｅｓｓ  Ｃｈａｎｎｅｌ）等が想定されるので、以下、かかるランダムアクセスチャネルをＲＡＣＨと記載することとする。【００３１】
ＲＡＣＨ情報には、具体的には、ＲＡＣＨ及び当該ＲＡＣＨに対応する下り共有制御チャネルに割り当てられる無線リソースを特定するための情報が含まれている。【００３２】
ここで、上述の無線リソースを特定するための情報は、周波数リソース（周波数帯域）、時間リソース（タイムスロット、ＴＴＩ）、符号リソース（拡散符号）、又は、これらの組み合わせを特定するものとする。【００３３】
また、ＲＡＣＨ情報には、上述の無線リソースを特定するための情報が複数含まれていてもよい。【００３４】
また、本実施形態に係る移動通信システムにおいて、ＲＡＣＨ及び当該ＲＡＣＨに対応する下り共有制御チャネルに割り当てられる無線リソースは、固定されていてもよい。【００３５】
なお、ＲＡＣＨに対応する下り共有制御チャネル又は下り共有データチャネルの少なくとも一方を介して、当該ＲＡＣＨを介して送信されたランダムアクセス要求を受信した旨及びパケットアクセス要求送信用無線リソース（後述）を通知するためのランダムアクセス応答が送信される。【００３６】
ランダムアクセス要求送信部１３は、ＲＡＣＨ情報記憶部１２を参照して、在圏セルを管理する無線基地局ｅＮｏｄｅに対して、ＲＡＣＨを介して、ランダムアクセス要求（例えば、上述のプリアンブルに対応）を送信するように構成されている。【００３７】
例えば、ランダムアクセス要求は、１６ビットのアダマール系列によって形成されていてもよい（図１１参照）。また、ランダムアクセス要求は、かかる１６ビットのアダマール系列に、所定の優先度情報等の情報を付与するように形成されていてもよい。【００３８】
また、ＲＡＣＨ情報記憶部１２に、ＲＡＣＨ及び当該ＲＡＣＨに対応する下り共有制御チャネルを識別する情報が複数格納されている場合、ランダムアクセス要求送信部１３は、任意の方法で、ランダムアクセス要求の送信に用いるＲＡＣＨを変更するように構成されていてもよい。【００３９】
また、ランダムアクセス要求送信部１３は、サービスクラス毎に、セル毎に、又は、目的毎に、ランダムアクセス要求の送信に用いるＲＡＣＨ、又は、当該ランダムアクセス要求を構成するパターン（例えば、図１１に示す１６ビットのアダマール系列）を変更するように構成されていてもよい。【００４０】
すなわち、ランダムアクセス要求送信部１３は、どういう目的で送信するランダムアクセス要求であるかによって、当該ランダムアクセス要求の送信に用いるＲＡＣＨ、又は、当該ランダムアクセス要求を構成するパターンを変更するように構成されていてもよい。【００４１】
また、ランダムアクセス要求送信部１３は、下りリンクで測定した受信レベルによって、当該ランダムアクセス要求の送信に用いるＲＡＣＨ、又は、当該ランダムアクセス要求を構成するパターンを変更するように構成されていてもよい。【００４２】
ランダムアクセス要求送信部１３は、目的毎に、例えば、ハンドオーバ時に送信されるランダムアクセス要求と、無線基地局ｅＮｏｄｅＢとの間の無線リンクを確立するために送信されるランダムアクセス要求と、無線基地局ｅＮｏｄｅＢとの間で確立されている無線リンクにおけるタイミング調整のために送信されるランダムアクセス要求との間で、これらのランダムアクセス要求を送信するためのＲＡＣＨ、又は、これらのランダムアクセス要求を構成するパターンを変更することができる。【００４３】
例えば、ランダムアクセス要求送信部１３は、ハンドオーバ時に送信されるランダムアクセス要求のパターンとして、図１１に示すＰ０（ｎ）乃至Ｐ２（ｎ）のアダマール系列を用い、無線基地局ｅＮｏｄｅＢとの間の無線リンクを確立するために送信されるランダムアクセス要求のパターンとして、図１１に示すＰ３（ｎ）乃至Ｐ５（ｎ）のアダマール系列を用い、無線基地局ｅＮｏｄｅＢとの間で確立されている無線リンクにおけるタイミング調整のために送信されるランダムアクセス要求のパターンとして、図１１に示すＰ３（ｎ）乃至Ｐ５（ｎ）のアダマール系列を用いてもよい。【００４４】
ランダムアクセス応答受信部１４は、無線基地局ｅＮｏｄｅから、ランダムアクセス要求を送信したＲＡＣＨに対応する下り共有制御チャネル又は下り共有データチャネルの少なくとも一方を介して、ランダムアクセス要求を受信した旨及びパケットアクセス要求送信用無線リソースを通知するためのランダムアクセス応答を受信するように構成されている。【００４５】
なお、ランダムアクセス応答は、パケット通信の開始を要求するためのパケットアクセス要求（例えば、メッセージパートに対応）を送信すべき上り共有チャネル内の無線リソース（すなわち、パケットアクセス要求送信用無線リソース）を通知するように構成されていてもよい。【００４６】
すなわち、ランダムアクセス応答は、かかるパケットアクセス要求送信用無線リソースを特定するための情報を含むように構成されていてもよい。【００４７】
また、ランダムアクセス応答受信部１４は、かかるＲＡＣＨに対応する下り共有制御チャネルから、かかるパケットアクセス要求送信用無線リソースを通知するランダムアクセス応答を含む下り共有データチャネルを識別する情報を取得するように構成されていてもよい。【００４８】
また、ランダムアクセス応答は、当該下り共有制御チャネル又は下り共有データチャネルに対応するＲＡＣＨを識別する情報を含むように構成されていてもよい。【００４９】
また、ランダムアクセス応答は、上りチャネルにおける送信タイミングや、各無線基地局ｅＮｏｄｅＢにおいて当該移動局ＵＥを識別するための情報を含むように構成されていてもよい。【００５０】
割当要求送信部１５は、ランダムアクセス応答に、パケットアクセス要求送信用無線リソースを特定するための情報が含まれていない場合、無線基地局ｅＮｏｄｅに対して、当該パケットアクセス要求送信用無線リソースを割り当てて通知するように要求するための割当要求を送信するように構成されている。【００５１】
割当応答受信部１６は、無線基地局ｅＮｏｄｅから送信された当該割当要求に対する割当応答を受信するように構成されている。なお、かかる割当応答には、割り当てられたパケットアクセス要求送信用無線リソースを特定するための情報が含まれている。【００５２】
パケットアクセス要求送信部１７は、ランダムアクセス応答受信部１４によって受信されたランダムアクセス応答によって通知された上り共有チャネル内のパケットアクセス要求送信用無線リソースを用いて、セントラルノードに対して、パケット通信の開始を要求するためのパケットアクセス要求を送信するように構成されている。【００５３】
また、パケットアクセス要求送信部１７は、割当応答受信部１６によって受信された割当応答によって通知された上り共有チャネル内のパケットアクセス要求送信用無線リソースを用いて、パケット通信の開始を要求するためのパケットアクセス要求を送信するように構成されていてもよい。【００５４】
例えば、パケットアクセス要求は、移動局ＵＥの認証コードや、移動局ＵＥの能力を識別する情報や、上り無線リンクにおけるセキュリティコードや、サービスＩＤ等を含む。なお、パケットアクセス要求に含まれる情報の一部が、無線基地局ｅＮｏｄｅＢにおいて終端され、残りが、セントラルノードにおいて終端されるように構成されていてもよい。【００５５】
パケットアクセス応答受信部１８は、セントラルノードから送信された当該パケットアクセス要求に対するパケットアクセス応答を受信するように構成されている。【００５６】
通信部１９は、パケットアクセス応答受信部１８によってパケットアクセス応答が受信された場合、セントラルノードとの間で、ユーザデータ（Ｕ-ｐｌａｎｅ）を送受信するためのリンクを設定し、当該リンクを介して通信を行うように構成されている。【００５７】
図３に示すように、無線基地局ｅＮｏｄｅＢは、ランダムアクセス要求受信部３１と、ランダムアクセス応答送信部３２と、割当要求受信部３３と、割当応答送信部３４と、ＲＡＣＨ情報送信部３５と、リソース管理部３６とを具備している。【００５８】
ランダムアクセス要求受信部３１は、移動局ＵＥから、ＲＡＣＨを介して、ランダムアクセス要求を受信するように構成されている。【００５９】
ランダムアクセス応答送信部３２は、リソース管理部３６を参照して、移動局ＵＥに対して、ランダムアクセス要求を受信したＲＡＣＨに対応する下り共有制御チャネル又は下り共有データチャネルの少なくとも一方を介して、かかるランダムアクセス要求を受信した旨を通知するためのランダムアクセス応答を送信するように構成されている。【００６０】
また、ランダムアクセス応答送信部３２は、ランダムアクセス要求受信部３１によるランダムアクセス要求の受信に応じて、リソース管理部３６を参照して、上り共有チャネル（例えば、図４乃至図６に示す上りリンクにおける共有データチャネル）に割り当てられている無線リソースの中から、移動局ＵＥがパケット通信の開始を要求するためのパケットアクセス要求を送信するためのパケットアクセス要求送信用無線リソースを割り当てるように構成されていてもよい。【００６１】
ここで、ランダムアクセス応答送信部３２は、ランダムアクセス要求に含まれている優先度情報に基づいて、パケットアクセス要求送信用無線リソースの割当を行うように構成されていてもよい。【００６２】
かかる場合、ランダムアクセス応答送信部３２は、移動局ＵＥに対して、上述のランダムアクセス応答によって、割り当てられたパケットアクセス要求送信用無線リソースを通知するように構成されている。【００６３】
具体的には、ランダムアクセス応答送信部３２は、移動局ＵＥに対して、割り当てられたパケットアクセス要求送信用無線リソースを特定するための情報を含むランダムアクセス応答を送信するように構成されている。【００６４】
例えば、ランダムアクセス応答送信部３２は、ランダムアクセス要求を受信したＲＡＣＨに対応する下り共有制御チャネルを用いて、かかるパケットアクセス要求送信用無線リソースを通知するランダムアクセス応答を含む下り共有データチャネルを識別する情報を通知し、当該下り共有データチャネルを介して、当該パケットアクセス要求送信用無線リソースを通知するように構成されていてもよい。【００６５】
割当要求受信部３３は、移動局ＵＥから、所定のチャネル（例えば、ＲＡＣＨや上り共有制御チャネル）を介して、パケットアクセス要求送信用無線リソースを割り当てて通知するように要求する割当要求を受信するように構成されている。【００６６】
割当応答送信部３４は、割当要求受信部３３による割当要求の受信に応じて、リソース管理部３６を参照して、上り共有チャネル（例えば、図４乃至図６に示す上りリンクにおける共有データチャネル）に割り当てられている無線リソースの中から、移動局ＵＥがパケット通信の開始を要求するためのパケットアクセス要求を送信するためのパケットアクセス要求送信用無線リソースを割り当てるように構成されていてもよい。【００６７】
ここで、割当応答送信部３４は、割当要求に含まれている優先度情報に基づいて、パケットアクセス要求送信用無線リソースの割当を行うように構成されていてもよい。【００６８】
また、割当応答送信部３４は、移動局ＵＥから上述の割当要求を受信した場合、当該移動局ＵＥに対して、割当応答によって、割り当てられたパケットアクセス要求送信用無線リソースを通知するように構成されている。【００６９】
具体的には、割当応答送信部３４は、移動局ＵＥに対して、割り当てられたパケットアクセス要求送信用無線リソースを特定するための情報を含む割当応答を送信するように構成されている。【００７０】
ＲＡＣＨ情報送信部３５は、リソース管理部３６を参照して、移動局ＵＥに対して、報知チャネルによって、ＲＡＣＨを通知するように構成されている。【００７１】
また、ＲＡＣＨ情報送信部３５は、リソース管理部３６を参照して、移動局ＵＥに対して、報知チャネルによって、当該ＲＡＣＨに対応する下り共有制御チャネル又は下り共有データチャネルを通知するように構成されていてもよい。【００７２】
具体的には、ＲＡＣＨ情報送信部３５は、リソース管理部３６を参照して、移動局ＵＥに対して、報知チャネルによって、ＲＡＣＨや、当該ＲＡＣＨに対応する下り共有制御チャネルや下り共有データチャネルを特定するための情報を含むＲＡＣＨ情報を送信するように構成されている。【００７３】
なお、ＲＡＣＨ情報送信部３５は、セル毎に、サービスクラス毎に、又は、目的毎に、移動局ＵＥに対して通知するＲＡＣＨ情報（ＲＡＣＨや当該ＲＡＣＨに対応する下り共有制御チャネルや下り共有制御チャネル）を変更するように構成されていてもよい。【００７４】
また、ＲＡＣＨ情報送信部３５は、トラフィック状況や無線通信状況等に基づいて、所定のタイミングで、移動局ＵＥに対して通知するＲＡＣＨ情報（ＲＡＣＨ及び当該ＲＡＣＨに対応する下り共有制御チャネル）を変更するように構成されていてもよい。【００７５】
リソース管理部３６は、上りリンク及び下りリンクにおいて、各チャネルに割り当てられる無線リソース（周波数リソース、時間リソース、符号リソース）を管理するように構成されている。例えば、リソース管理部３６は、ＲＡＣＨ及び当該ＲＡＣＨに対応する下り共有制御チャネルに割り当てられる無線リソースを管理するように構成されている。【００７６】
図４乃至図７に、リソース管理部３６によって、上りリンク及び下りリンクにおいて各チャネルに割り当てられる無線リソースの例を示す。【００７７】
ここで、図４乃至図６に示す例では、周波数ブロックＡ内に、ＲＡＣＨが割り当てられるように構成されている。【００７８】
なお、図４の例では、周波数ブロックＡ内で、複数のＲＡＣＨが符号分割（ＣＤＭＡ）多重されており、図５の例では、周波数ブロックＡ内で、複数のＲＡＣＨが周波数分割（ＦＤＭＡ）多重されており、図６の例では、周波数ブロックＡ内で、複数のＲＡＣＨが時分割（ＴＤＭＡ）多重されている。【００７９】
また、図４の例では、あるタイミング（例えば、ＴＴＩ）において、上り共有データチャネル（上り共有チャネル）に割り当てられている無線リソース＃１乃至＃６の中から、移動局（ユーザ）Ｅがパケットアクセス要求を送信するためのパケットアクセス要求送信用無線リソースとして無線リソース＃１が割り当てられており、移動局（ユーザ）Ｇがパケットアクセス要求を送信するためのパケットアクセス要求送信用無線リソースとして無線リソース＃２が割り当てられており、移動局（ユーザ）Ｊがパケットアクセス要求を送信するためのパケットアクセス要求送信用無線リソースとして無線リソース＃３及び＃６が割り当てられており、移動局（ユーザ）Ａがパケットアクセス要求を送信するためのパケットアクセス要求送信用無線リソースとして無線リソース＃４が割り当てられており、移動局（ユーザ）Ｈがパケットアクセス要求を送信するためのパケットアクセス要求送信用無線リソースとして無線リソース＃５が割り当てられている。【００８０】
また、図７に示すように、所定の無線リソースが、特定のＲＡＣＨに対応する下り共有制御チャネルに割り当てられている。【００８１】
（本発明の第１の実施形態に係る移動通信システムの動作）
以下、図８及び図９を参照して、本実施形態に係る移動通信システムにおけるランダムアクセス制御の動作について説明する。【００８２】
第１に、図８を参照して、本実施形態に係る移動通信システムにおいてパケット通信を開始するための第１の動作について説明する。【００８３】
図８に示すように、ステップＳ１００１において、移動局ＵＥは、無線基地局ｅＮｏｄｅＢに対して、予め利用可能なＲＡＣＨとして通知されているＲＡＣＨの１つを介してランダムアクセス要求を送信する。【００８４】
ステップＳ１００２において、無線基地局ｅＮｏｄｅＢは、ランダムアクセス要求の受信に応じて、上り共有チャネルに割り当てられている無線リソースの中から、移動局ＵＥがパケットアクセス要求を送信するためのパケットアクセス要求送信用無線リソースを割り当てる。【００８５】
ここで、無線基地局ｅＮｏｄｅＢは、ランダムアクセス要求に含まれている優先度情報に基づいて、パケットアクセス要求送信用無線リソースの割当を行う。【００８６】
そして、無線基地局ｅＮｏｄｅＢは、移動局ＵＥに対して、ランダムアクセス要求を送信したＲＡＣＨに対応する下り共有制御チャネル又は下り共有データチャネルの少なくとも一方を介して、当該ランダムアクセス要求を受信した旨及び割り当てられたパケットアクセス要求送信用無線リソースを通知するためのランダムアクセス応答を送信する。【００８７】
なお、ＲＡＣＨ及び当該ＲＡＣＨに対応する下り共有制御チャネル又は下り共有データチャネルに割り当てられている所定の無線リソースは、予め決められていてもよい。【００８８】
ステップＳ１００３において、移動局ＵＥは、上述のランダムアクセス応答によって通知されたパケットアクセス要求送信用無線リソースを用いて、無線基地局ｅＮｏｄｅＢに対して、パケットアクセス要求を送信する。【００８９】
ステップＳ１００４は、無線基地局ｅＮｏｄｅＢは、かかるパケットアクセス要求に含まれている無線基地局ｅＮｏｄｅＢで終端すべき情報を抽出した後、残りの情報を含むパケットアクセス要求をセントラルノードに転送する。ここで、無線基地局ｅＮｏｄｅＢは、抽出した情報に基づいて、パケット通信の開始に伴う所定の処理を行うものとする。【００９０】
ステップＳ１００５において、セントラルノードは、受信したパケットアクセス要求を受信した旨を通知するためのパケットアクセス応答を、無線基地局ｅＮｏｄｅＢに送信する。【００９１】
ステップＳ１００６において、無線基地局ｅＮｏｄｅＢは、かかるパケットアクセス応答を移動局ＵＥに転送する。【００９２】
ステップＳ１００７において、移動局ＵＥによってパケットアクセス応答が受信された場合、当該移動局ＵＥとセントラルノードとの間で、ユーザデータ（Ｕ-ｐｌａｎｅ）を送受信するためのリンクが設定され、当該リンクを介して通信が開始される。【００９３】
第２に、図９を参照して、本実施形態に係る移動通信システムにおけるランダムアクセス制御の第２の動作について説明する。【００９４】
図９に示すように、ステップＳ２００１において、移動局ＵＥは、無線基地局ｅＮｏｄｅＢに対して、予め利用可能なＲＡＣＨとして通知されているＲＡＣＨの１つを介してランダムアクセス要求を送信する。【００９５】
ステップＳ２００２において、無線基地局ｅＮｏｄｅＢは、移動局ＵＥに対して、ランダムアクセス要求を送信したＲＡＣＨに対応する下り共有制御チャネル又は下り共有データチャネルを介して、当該ランダムアクセス要求を受信した旨を通知するためのランダムアクセス応答を送信する。【００９６】
ステップＳ２００３において、移動局ＵＥは、ランダムアクセス応答に、パケットアクセス要求送信用無線リソースを特定するための情報が含まれていないと判断し、無線基地局ｅＮｏｄｅに対して、当該パケットアクセス要求送信用無線リソースを通知するように要求するための割当要求を送信する。【００９７】
ステップＳ２００４において、無線基地局ｅＮｏｄｅは、移動局ＵＥから送信された上述の割当要求の受信に応じて、上り共有チャネルに割り当てられている無線リソースの中から、移動局ＵＥがパケットアクセス要求を送信するためのパケットアクセス要求送信用無線リソースを割り当てる。【００９８】
ここで、無線基地局ｅＮｏｄｅＢは、割当要求に含まれている優先度情報に基づいて、パケットアクセス要求送信用無線リソースの割当を行う。【００９９】
そして、無線基地局ｅＮｏｄｅは、当該移動局ＵＥに対して、割当応答によって、パケットアクセス要求送信用無線リソースを通知する。【０１００】
具体的には、無線基地局ｅＮｏｄｅは、移動局ＵＥに対して、パケットアクセス要求送信用無線リソースを特定するための情報を含む割当応答を送信する。【０１０１】
ステップＳ２００５において、移動局ＵＥは、上述の割当応答によって通知されたパケットアクセス要求送信用無線リソースを用いて、無線基地局ｅＮｏｄｅＢに対して、パケットアクセス要求を送信する。【０１０２】
ステップＳ２００６乃至Ｓ２００９の動作は、上述の図８におけるステップＳ１００４乃至Ｓ１００７の動作と同一であるため、説明を省略する。【０１０３】
（本発明の第１の実施形態に係る移動通信システムの作用・効果）
本実施形態に係る移動通信システムによれば、無線基地局ｅＮｏｄｅＢが、ＲＡＣＨに対応する下り共有制御チャネルを介して、パケットアクセス要求を送信すべき上り共有チャネル内のパケットアクセス要求送信用無線リソースを通知するランダムアクセス応答又は割当応答を送信することができるので、パケットアクセス要求（メッセージパート）の伝送速度の高速化を図ることができると共に、パケット通信を開始する時間を短縮することができる。【０１０４】
すなわち、本発明によれば、無線基地局が、ランダムアクセスチャネルに対応する下り共有制御チャネル又は下り共有データチャネルの少なくとも一方を介して送信するランダムアクセス応答又は割当応答によって、パケットアクセス要求を送信すべきパケットアクセス要求送信用無線リソースを通知することができるので、パケット通信を短時間に開始することができる。
【産業上の利用の可能性】
【０１０５】
以上説明したように、本発明によれば、ランダムアクセス制御において、メッセージパート（パケットアクセス要求）の伝送速度の高速化を図ると共に、パケット通信を開始するまでの時間を短縮することができるパケット通信方法、移動局及び無線基地局を提供することができる。
【図１】
2007052752.tif 000003
【図２】
2007052752.tif 000004
【図３】
2007052752.tif 000005
【図４】
2007052752.tif 000006
【図５】
2007052752.tif 000007
【図６】
2007052752.tif 000008
【図７】
2007052752.tif 000009
【図８】
2007052752.tif 000010
【図９】
2007052752.tif 000011
【図１０】
2007052752.tif 000012
【図１１】
2007052752.tif 000013
【国際調査報告】
2007052752.tif 000014
2007052752.tif 000015